(57)【特許請求の範囲】
【請求項１】
シャーシの内部に設けられ、搬送ローラと、ディスク搬送方向と略垂直な方向において中央部から端部に向かうに従って搬送ローラに近づくように形成された凸部を備えたディスク案内部とを備えた搬送ユニットであって、ディスクを上記ディスク案内部と上記搬送ローラとで挟持する方向に上記搬送ローラが移動しその状態で上記搬送ローラが回転することによりディスクを搬送する当該搬送ユニットとを備えたディスク装置において、
上記搬送ユニットは、回転軸と回転部とを備えた補助ローラであって、該回転軸がディスク搬送方向と略垂直な方向を向くように上記ディスク案内部に取り付けられ、かつ該回転部の外周面が上記凸部より上記搬送ローラ側に位置するように上記ディスク案内部の左右両端部に各々配置された当該補助ローラを備えたことを特徴とするディスク装置。
【請求項２】
ディスク案内部は、補助ローラの回転軸をその軸方向に押圧する板バネ部を備えたことを特徴とする請求の範囲第１項記載のディスク装置。
【請求項３】
補助ローラは、回転部の外周面が中央部から端部に向かうに従って搬送ローラに近づくように配置されていることを特徴とする請求の範囲第１項記載のディスク装置。
【発明の詳細な説明】
技術分野
この発明は、ディスク挿入口からシャーシの内部に挿入されたディスクを再生ユニットに搬送し、かつ搬送ユニットに搬送されたディスクを再生ユニットからディスク挿入口に搬送しシャーシの外部に排出するための搬送ユニットを備えたディスク装置に関するものである。
背景技術
先ず、車載用のディスク装置について概略的に説明する。
第１図は車載用のディスク装置を示す概略的な構成図である。第１図において、１はディスク装置、２は車体の内部に設置されるシャーシ、３はディスクＤを回転させディスクＤに記録されている情報を読み取るための再生ユニット、４はシャーシに形成されたディスク挿入口からシャーシ２の内部に挿入されたディスクＤを再生ユニット３に搬送し、かつ再生ユニット３に搬送されたディスクＤを再生ユニット３からディスク挿入口に搬送しシャーシ２の外部に排出するための搬送ユニットである。５はディスクＤの再生中に車体の振動が再生ユニット３に伝達することを防止するオイルダンパ等の弾性部材であり、シャーシ２の下面と再生ユニット３との間に設けられている。
再生ユニット３において、11はターンテーブルを回転させるためのモータやピックアップを移動させるためのモータ等が収納されている再生ユニットベースである。11aは加圧アームの回転軸であり、再生ユニットベース11に設けられている。12はディスクＤが載置され載置されたディスクＤを回転させるターンテーブルであり、再生ユニットベース11に設けられている。13は再生ユニットベース11に設けられた回転軸11aを中心としてａ−ｂ方向に回転する加圧アームである。14は加圧アーム13をターンテーブル12側へ回転させることによりディスクＤをターンテーブル12とで挟持するディスク挟持体であり、加圧アーム13に取り付けられている。15はディスクＤに記録されている情報を読み取るピックアップであり、再生ユニットベース11に設けられている。
搬送ユニット４において、21はシャーシ２の上板に固定されたディスク案内部、22はディスク挿入口からシャーシ２の内部に挿入されたディスクＤをディスク案内部21とで挟持しその状態で回転することによりディスクＤを再生ユニット３に搬送し、かつ再生ユニット３に搬送されたディスクＤをディスク案内部21とで挟持しその状態で回転することによりディスクＤをディスク挿入口に搬送しシャーシ２の外部に排出する搬送ローラである。
なお、第１図には、ディスク挿入方向及びディスク排出方向にスライド移動することにより、再生ユニットに設けられた加圧アーム及び搬送ユニットに設けられた搬送ローラを移動させ、かつ再生ユニットの固定及びその解除を行うカムプレートついては省略して図示していない。
次に動作について説明する。
ディスク挿入時
ディスクＤをディスク挿入口からシャーシ２の内部に挿入すると、ディスクＤはディスク案内部21と搬送ローラ22とで挟持される。そして、搬送ローラ22が回転することにより、ディスクＤは再生ユニット３に搬送される。再生ユニット３に搬送されたディスクＤは、加圧アーム13がターンテーブル12側へ回転することによりターンテーブル12とディスク挟持体14とで挟持され、ターンテーブル12に載置される。このとき、カムプレートにより固定されていた再生ユニットベース11の固定が解除され、再生ユニットベース11は弾性部材５により支持され、ディスクＤに記録されている情報の読み取り、すなわちディスクＤの再生が可能な状態となる。
ディスク再生時
ディスクＤがターンテーブル12に載置されターンテーブル12上で静止している状態にあるときにディスクＤの再生を開始すると、ターンテーブル12が回転することによりディスクＤは回転する。そして、ピックアップ15により、ディスクＤに記録されている情報が読み取られる。このとき、車体の振動が弾性部材５により吸収され、車体の振動が再生ユニット３に伝達することが防止される。
ディスク排出時
ディスクＤの再生が終了し、ディスクＤがターンテーブル12とディスク挟持体14とで挟持されターンテーブル12上で静止している状態にあるときにディスクＤの排出を開始すると、加圧プレート13はターンテーブル12から離れる方向に回転し、その回転によりディスクＤはターンテーブル12から持ち上げられディスク案内部21と搬送ローラ22とで挟持される。そして、搬送ローラ22が回転することにより、ディスクＤはディスク挿入口に搬送されシャーシ２の外部に排出される。このとき、再生ユニットベース11は、カムプレートにより固定される。
ここまでが、車載用のディスク装置についての概略的な説明である。
以後、従来の車載用のディスク装置における各部の詳細について説明する。
第２図は従来のディスク装置における再生ユニットを示す構成図である。第２図は再生ユニットを第１図のＸ方向から見たときの構成を示している。第２図は12cmディスクの挿入開始時の状態を示している。第２図では、12cmディスクＤが二点破線で示されている。また、第３図は従来のディスク装置におけるディスクストッパを示す構成図である。第３図は第２図のＩ−Ｉ線に沿った断面図を示している。第２図及び第３図において、141はディスクＤに記録されている情報を読み取るための再生ユニット、143はディスクＤの再生中に車体の振動が再生ユニット141に伝達することを防止するオイルダンパ等の弾性部材、144a〜144cは再生ユニット141に設けられた第１〜第３の位置決め軸である。
また、151はターンテーブルを回転させるためのモータやピックアップを移動させるためのモータ等が収納されている再生ユニットベースである。151dは加圧アームの回転軸であり、再生ユニットベース151に設けられている。154は再生ユニットベース151に設けられた回転軸151dを中心として回転する加圧アームである。155は加圧アーム154をターンテーブル側へ回転させることによりディスクＤをターンテーブルとで挟持するディスク挟持体であり、加圧アーム154に取り付けられている。
また、161はシャーシの内部に挿入されたディスクＤに押されてＢ方向（ディスク挿入方向）へ移動するディスクストッパである。162はディスクストッパ161の移動に併せて回転するレバーストッパであり、加圧アーム154の上面に設けられている。163はレバーストッパ162の回転に併せて回転すると共にディスクＤがシャーシの内部に挿入されていないときのディスクストッパ161の位置決めを行いレバーストッパ162の回転に併せて回転したときに後述する作動レバーをＡ方向（ディスク排出方向）へスライド移動させるスライドロックであり、加圧アーム154の下側に設けられている。165はディスク挟持体155を加圧アーム154に取り付けるための保持部材、166はレバーストッパ162とスライドロック163とに連結された第１のスプリング、167は加圧アーム154とスライドロック163とに連結された第２のスプリングである。
ディスクストッパ161において、161aはシャーシの内部に挿入されたディスクＤが当接する当接部、161bは加圧アーム154に形成されたガイド孔と係合する係合部、161cはレバーストッパ162に形成された係合孔に係合する係合ピンである。
レバーストッパ162において、162aはレバーストッパ162の回転軸、162bは第１のスプリング166が連結された連結部、162cはディスクストッパ161に設けられた係合ピン161cが係合する係合孔、162dはスライドロック163に設けられた規制ピンを支持する規制孔、162eは規制孔162dを構成する第１規制部、162fは規制孔162dを構成する第２規制部である。
スライドロック163において、163aはフロントアームに押される受圧部、163bは後述する作動レバーを押す加圧部、163cはレバーストッパ162に形成された規制孔162dに支持された規制ピン、163dは第１のスプリング166が連結された連結部、163eは第２のスプリング167が連結された連結部、163fはレバーストッパ162の回転軸162aを支持するスライド孔である。
加圧アーム154において、154aは第２のスプリング167が連結された連結部である。154bはディスクストッパ162に設けられた係合部161bが係合すると共にディスクストッパ162に設けられた係合ピン161cが貫通しシャーシの内部に挿入されたディスクＤに押されたディスクストッパ161をガイドするガイド孔であり、加圧アーム154の略中央部にディスクＤの搬送方法に沿って形成されている。154cはディスクストッパ161に設けられた係合部161bをガイド孔154bと係合させるために形成された係合部挿入孔、154dはスライドロック163に設けられた規制ピン163cをレバーストッパ162に形成された規制孔162dで支持するために形成された窓孔である。
保持部材165において、165aはディスク挟持体155の上部センタ突起155aを押圧しながらディスク挟持体155を保持する保持部、165bは加圧アーム154に形成された係合部挿入孔154cを被覆する被覆部である。
この従来のディスク装置では、ディスクＤがシャーシの内部に挿入されていないとき、作動レバーの位置が決まっている。このため、スライドロック163の位置が決まり、スライドロック163に設けられた規制ピン163cがレバーストッパ162に形成された規制孔162dを構成する第１規制部162eに位置することによりレバーストッパ162の位置が決まり、さらにディスクストッパ161の位置が決まる構成となっている。そして、従来のディスク装置では、ディスクＤがシャーシの内部に挿入されていないとき、ディスクストッパ161に設けられた係合部161bは保持部材165に当接しない構成となっている。
第４図は従来のディスク装置における搬送ユニットを示す構成図である。第４図は搬送ユニットを第１図のＹ方向から見たときの構成を示している。第４図は12cmディスクの搬送時の状態を示している。第４図では、12cmディスクＤが二点破線で示されている。また、第５図は従来のディスク装置におけるディスク案内部を示す構成図である。第５図はディスク案内部を第１図のＺ方向から見たときの構成を示している。第４図及び第５図において、132は車体の内部に設置されるシャーシ、133はシャーシ132の正面板に形成されたディスク挿入口である。
また、171はシャーシ132の上板に固定されたディスク案内部、173はディスク挿入口133からシャーシ132の内部に挿入されたディスクＤをディスク案内部171とで挟持しその状態で回転することによりディスクＤを再生ユニットに搬送し、かつ再生ユニットに搬送されたディスクＤをディスク案内部171とで挟持しその状態で回転することによりディスクＤをディスク挿入口133に搬送しシャーシ132の外部に排出する搬送ローラ、174は搬送ユニットベースである。
ディスク案内部171において、171aは中央部から端部に向けて搬送ローラ173に近づく形状の凸部であり、ディスク搬送方向と垂直な方向に延在して形成されている。
搬送ローラ173において、173aは搬送ローラ173のシャフトであり、ディスク搬送方向と垂直な方向を向くように搬送ユニットベース74に形成された丸孔に挿入されている。173bは搬送ローラ173のシャフト173aが遊挿され、中央部から端部に向けて太くなる形状のゴムローラである。
この従来のディスク装置では、ディスクＤの搬送時に、ディスクＤをディスク案内部171に形成された凸部171aと搬送ローラ173とで挟持する構成となっている。
第６図は従来のディスク装置におけるカムプレート及びその関連部品を示す構成図である。第６図（Ａ）はカムプレート及びその関連部品を第１図のＸ方向から見たときの構成を示し、第６図（Ｂ）はカムプレート及びその関連部品を第６図（Ａ）のＰ方向から見たときの構成を示し、第６図（Ｃ）は第６図（Ｂ）中の破線で囲んだＱ部分の拡大図を示している。第６図はディスク搬送時の初期段階の状態を示している。第６図は曲線ｂで囲まれる部分がシャーシの右側板となるように示されている。第６図において、178は搬送ローラを回転させるためのモータの回転を搬送ローラ173に伝達する減速ギヤ群であり、シャーシ132に設けられている。
また、181はＡ−Ｂ方向にスライド移動し、Ｂ方向にスライド移動するときにディスクをターンテーブルとディスク挟持体とで挟持しない方向に加圧アームを移動させ、かつディスクをディスク案内部と搬送ローラ173とで挟持する方向に搬送ローラ173を移動させ、Ａ方向にスライド移動するときにディスクをターンテーブルとディスク挟持体とで挟持する方向に加圧アームを移動させ、かつディスクをディスク案内部と搬送ローラ173とで挟持しない方向に搬送ローラ173を移動させるカムプレートであり、シャーシ132の右側板と再生ユニットとの間に設けられている。182はシャーシ132に形成されたガイド溝に沿ってＡ−Ｂ方向にスライド移動しその移動によりカムプレート181をＡ−Ｂ方向へスライド移動させる作動レバーであり、カムプレート181上に配置されている。183はカムプレート181がＢ方向へスライド移動するときに再生ユニットを固定するための第１のリンク部材であり、シャーシ132とカムプレート181との間に設けられている。184はシャーシ132と作動レバー182とを連結する第４のスプリングである。
カムプレート181において、181aはシャーシ132の右側板に形成された鍵状爪が係合し、カムプレート181をガイドする長孔、181bは搬送ユニットベース174に設けられた移動軸174cを支持し、カムプレート181のスライド移動に併せて移動軸174cをガイドするＺ状孔、181cは再生ユニットに設けられた第１の位置決め軸144aを支持し、カムプレート181のスライド移動に併せて第１の位置決め軸144aをガイドする水平孔、181dは再生ユニットに設けられた第２の位置決め軸144bを支持し、カムプレート181のスライド移動に併せて第２の位置決め軸144bをガイドする水平溝、181eは水平孔181cによる第１の位置決め軸144aの支持を解除する解除孔、181fは水平溝181dによる第２の位置決め軸144bの支持を解除する解除溝、181gは第１のリンク部材183に形成された丸孔に挿入された第１のリンク部材183の回転軸、181hは加圧アーム154に設けられた右側面曲げ部154e（第２図参照）と当接し、ＡからＢ方向に向かって下降する形状の傾斜部、181iはカムプレート181の上部に形成された凹部、181jは減速ギヤ群178が貫通する貫通孔である。
作動レバー182において、182aはカムプレート181に形成された凹部181iに配置され、凹部181iを押すことにより、作動レバー182のスライド移動に併せてカムプレート181をＡ−Ｂ方向へスライド移動させる凸部、182bは減速ギヤ群178と噛み合って作動レバー182を移動させるラックである。
第１のリンク部材183において、183aはシャーシ132の右側板に形成されたＺ状孔に支持された移動軸、183bはカムプレート181に設けられた第１のリンク部材183の回転軸181gが挿入された丸孔、183cはカムプレート181がＢ方向にスライド移動するときに、再生ユニットに設けられた第１の位置決め軸144aを挟み込む挟持部である。
シャーシ132の右側板において、132dは第１のリンク部材183に設けられた移動軸183aを支持し、カムプレート181のスライド移動に併せて移動軸183aをガイドするＺ状孔である。
また、188は作動レバー182がＡ方向へスライド移動するときに、カムプレート181に形成された凹部181iと作動レバー182に形成された凸部182aとが当接する第１の当接部、189は作動レバー182がＢ方向へスライド移動するときに、カムプレート181に形成された凹部181iと作動レバー182に形成された凸部182aとが当接する第２の当接部である。
このディスク装置では、カムプレート181がＢ方向へスライド移動するときに、カムプレート181に設けられた傾斜部181hに沿って加圧アーム154に設けられた右側面曲げ部154eが上昇することにより加圧アームが上昇しターンテーブルからディスクを持ち上げる構成となっている。一方、カムプレート181がＡ方向へスライド移動するときに、傾斜部181hの傾斜に沿って右側面曲げ部154eが下降することにより加圧アーム154が下降しディスクをターンテーブルに載置する構成となっている。
また、この従来のディスク装置では、ディスク挿入時に、作動レバー182がＡ方向へスライド移動し、作動レバー182に形成されたラック182bが減速ギヤ群178と噛み合う構成となっている。そして、減速ギヤ群178の駆動力により、作動レバー182がさらにＡ方向にスライド移動し、作動レバー182に形成された凸部182aが、第１の当接部187においてカムプレート181に形成された凹部181iに当接し凹部181iを押す構成となっている。このため、カムプレート181が作動レバー182のスライド移動に併せてＡ方向へスライド移動する構成となっている。
また、この従来のディスク装置では、ディスク排出時に、減速ギヤ群178が逆回転して作動レバー182がＢ方向へスライド移動し、作動レバー182に形成された凸部182aが、第２の当接部188においてカムプレート181に形成された凹部181iに当接し凹部181iを押す構成となっている。このため、カムプレート181が作動レバー182のスライド移動に併せてＢ方向へスライド移動する構成となっている。そして、減速ギヤ群178の駆動力により、作動レバー182がさらにＢ方向にスライド移動し、作動レバー182に形成されたラック182bが減速ギヤ群178から外れる構成となっている。そして、作動レバー182に形成されたラック182bが減速ギヤ群178から外れた後、作動レバー182が第４のスプリング184の力によりＢ方向へ引っ張られて初期の位置に戻る構成となっている。そして、このとき、作動レバー182に形成された凸部182aがカムプレート181に形成された凹部181iを押し、カムプレート181も初期の位置に戻る構成となっている。
第７図は従来のディスク装置における再生ユニットベースを示す構成図である。第７図（Ａ）は再生ユニットベースを第１図のＸ方向から見たときの構成を示し、第７図（Ｂ）は再生ユニットベースを第７図（Ａ）のＰ方向から見たときの構成を示している。第７図は12cmディスクがターンテーブルから持ち上げられている状態を示している。第７図では、12cmディスクＤが二点破線で示されている。第７図において、151aは再生ユニットベース151のディスク挿入側と反対側の側面である奥側側面である。152はディスクが載置され載置されたディスクを回転させるターンテーブルであり、再生ユニットベース151に設けられている。
従来のディスク装置は以上のように構成されているので、ディスクＤの搬送時に、ディスクをディスク案内部に形成された凸部と搬送ローラとで挟持していた。このため、ディスクの搬送時に、ディスクにその搬送方向と反対方向に大きな力が働き、ディスクの挿入や排出ができなくなるという課題があった。
この発明は上記のような課題を解決するためになされたもので、ディスクの搬送時に、ディスクにその搬送方向と反対方向に大きな力が働くことにより、ディスクの挿入や排出ができなくなるという不具合を防止できるディスク装置を得ることを目的とする。
発明の開示
この発明に係るディスク装置は、搬送ユニットが、回転軸と回転部とを備えた補助ローラであって、回転軸がディスク搬送方向と垂直な方向を向くようにディスク案内部に取り付けられ、かつ回転部の外周面がディスク案内部に形成された凸部より搬送ローラ側に位置するようにディスク案内部の左右両端部に各々配置された当該補助ローラを備えたものである。
このことによって、ディスク搬送時に、ディスクにその搬送方向と反対方向に加わる力が低減するため、ディスクをスムーズに搬送でき、ディスクの挿入や排出ができなくなることを防止できる効果がある。
この発明に係るディスク装置は、ディスク案内部が、補助ローラの回転軸をその軸方向に押圧する板バネ部を備えたものである。
このことによって、補助ローラががたつかず、異音の発生を防止できる効果がある。
この発明に係るディスク装置は、回転部の外面が中央部から端部に向かうに従って搬送ローラに近づくように、補助ローラが配置されているものである。
このことによって、ディスクの搬送時に、ディスクはその外周エッジでのみ補助ローラと接触するため、ディスクの記録面が傷つくことを防止できる効果がある。
【図面の簡単な説明】
第１図は車載用のディスク装置を示す概略的な構成図である。
第２図は従来のディスク装置における再生ユニットを示す構成図である。
第３図は従来のディスク装置におけるディスクストッパを示す構成図である。
第４図は従来のディスク装置における搬送ユニットを示す構成図である。
第５図は従来のディスク装置におけるディスク案内部を示す構成図である。
第６図は従来のディスク装置におけるカムプレート及びその関連部品を示す構成図であり、（Ａ）は第１図のＸ方向から見たときの構成を示し、（Ｂ）は（Ａ）のＰ方向から見たときの構成を示し、（Ｃ）は（Ｂ）中の破線で囲んだＱ部分の拡大図を示している。
第７図は従来のディスク装置における再生ユニットベースを示す構成図であり、（Ａ）は第１図のＸ方向から見たときの構成を示し、（Ｂ）は（Ａ）のＰ方向から見たときの構成を示している。
第８図はこの発明の実施の形態１によるディスク装置の外観を示す斜視図である。
第９図はこの発明の実施の形態１によるディスク装置のシャーシ内部を示す構成図である。
第10図はこの発明の実施の形態１によるディスク装置における再生ユニットを示す構成図であり、（Ａ）は第１図のＺ方向から見たときの構成を示し、（Ｂ）は（Ａ）のＰ方向から見たときの構成を示している。
第11図はこの発明の実施の形態１によるディスク装置における再生ユニット及び搬送ユニットを8cmディスクの搬送時の状態について示す構成図であり、（Ａ）は第１図のＸ方向から見たときの構成を示し、（Ｂ）は（Ａ）のＰ方向から見たときの構成を示している。
第12図はこの発明の実施の形態１によるディスク装置における再生ユニット及び搬送ユニットを8cmディスクの再生時の状態について示す構成図であり、（Ａ）は第１図のＸ方向から見たときの構成を示し、（Ｂ）は第11図（Ａ）のＰ方向から見たときの構成を示している。
第13図はこの発明の実施の形態１によるディスク装置における再生ユニット及び搬送ユニットを12cmディスクの搬送時の状態について示す構成図であり、（Ａ）は第１図のＸ方向から見たときの構成を示し、（Ｂ）は第11図（Ａ）のＰ方向から見たときの構成を示している。
第14図はこの発明の実施の形態１によるディスク装置における再生ユニット及び搬送ユニットを12cmディスクの再生時の状態について示す構成図であり、（Ａ）は第１図のＸ方向から見たときの構成を示し、（Ｂ）は第11図（Ａ）のＰ方向から見たときの構成を示している。
第15図はこの発明の実施の形態１によるディスク装置におけるディスクストッパを示す構成図である。
第16図はこの発明の実施の形態１によるディスク装置における搬送ユニットを示す構成図であり、（Ａ）は第１図のＹ方向から見たときの構成を示し、（Ｂ）は（Ａ）のＰ方向から見たときの構成を示している。
第17図はこの発明の実施の形態１によるディスク装置におけるディスク案内部及び補助ローラを示す構成図であり、（Ａ）は第１図のＺ方向から見たときの構成を示し、（Ｂ）は（Ａ）中の破線で囲んだＰ部分の拡大図を示し、（Ｃ）は（Ａ）中の破線で囲んだＱ部分をＲ方向から見た拡大図を示している。
第18図はこの発明の実施の形態１によるディスク装置における搬送ユニットベースを示す構成図であり、（Ａ）は搬送ユニットベースを第１図のＸ方向から見たときの構成を示し、（Ｂ）は（Ａ）のＰ方向から見たときの構成を示し、（Ｃ）は（Ａ）のＱ方向から見たときの構成を示し、（Ｄ）は（Ａ）のＲ方向から見たときの構成を示している。
第19図はこの発明の実施の形態１によるディスク装置における搬送ユニット及び減速ギヤ群を示す構成図であり、（Ａ）はディスク搬送時の状態を示し、（Ｂ）はディスク再生時の状態を示している。
第20図はこの発明の実施の形態１によるディスク装置におけるカムプレート及びその関連部品をディスク搬送時の第１段階の状態について示す構成図であり、（Ａ）は第１図のＸ方向から見たときの構成を示し、（Ｂ）は（Ａ）のＰ方向から見たときの構成を示し、（Ｃ）は（Ａ）中の破線で囲んだＱ部分の拡大図を示している。
第21図はこの発明の実施の形態１によるディスク装置におけるカムプレート及びその関連部品をディスク搬送時の第２段階の状態について示す構成図である。
第22図はこの発明の実施の形態１によるディスク装置におけるカムプレート及びその関連部品をディスク再生時の状態について示す構成図である。
第23図はこの発明の実施の形態１によるディスク装置におけるカムプレート及びその関連部品をディスク搬送時の第１段階の状態について示す構成図であり、（Ａ）は第１図のＸ方向から見たときの構成を示し、（Ｂ）は第20図（Ａ）のＰ方向から見たときの構成を示している。
第24図はこの発明の実施の形態１によるディスク装置におけるカムプレート及びその関連部品をディスク搬送時の第２段階の状態について示す構成図であり、（Ａ）は第１図のＸ方向から見たときの構成を示し、（Ｂ）は第20図（Ａ）のＰ方向から見たときの構成を示している。
第25図はこの発明の実施の形態１によるディスク装置におけるカムプレート及びその関連部品をディスク再生時の状態について示す構成図であり、（Ａ）は第１図のＸ方向から見たときの構成を示し、（Ｂ）は第20図（Ａ）のＰ方向から見たときの構成を示している。
第26図はこの発明の実施の形態１によるディスク装置におけるカムプレートを示す構成図である。
第27図はこの発明の実施の形態１によるディスク装置におけるロックプレート及びその関連部品をディスク搬送時の状態について示す構成図であり、（Ａ）は第１図のＸ方向から見たときの構成を示し、（Ｂ）は（Ａ）のＰ方向から見たときの構成を示している。
第28図はこの発明の実施の形態１によるディスク装置におけるロックプレート及びその関連部品をディスク再生時の状態について示す構成図である。
第29図はこの発明の実施の形態１によるディスク装置における再生ユニットベースを示す構成図であり、（Ａ）は第１図のＸ方向から見たときの構成を示し、（Ｂ）は（Ａ）のＰ方向から見たときの構成を示している。
第30図はこの発明の実施の形態２によるディスク装置におけるディスク案内部及び補助ローラを示す構成図である。
発明を実施するための最良の形態
以下、この発明をより詳細に説明するために、この発明を実施するための最良の形態について、添付の図面に従って説明する。
実施の形態1.
第８図はこの発明の実施の形態１によるディスク装置の外観を示す斜視図である。第８図はディスク挿入前あるいはディスク排出後の状態を示している。第８図において、31はディスク装置、32は車体の内部に設置されるシャーシ、33はシャーシ32の前板に形成されたディスク挿入口である。シャーシ32の内部には、後述する再生ユニット、搬送ユニット並びにカムプレート等が設けられている。
第９図はこの発明の実施の形態１によるディスク装置のシャーシ内部を示す構成図である。第９図はディスク装置のシャーシ内部を第１図のＸ方向から見たときの構成を示している。第９図は12cmディスクの挿入開始時の状態を示している。第９図では、12cmディスクＤが二点破線で示されている。第９図において、41はディスクＤに記録されている情報を読み取るための再生ユニット、42はディスク挿入口からシャーシ32の内部に挿入されたディスクＤを再生ユニット41に搬送し、かつ再生ユニット41に搬送されたディスクＤをディスク挿入口に搬送しシャーシ32の外部に排出するための搬送ユニットである。43はディスクＤの再生中に車体の振動が再生ユニット41に伝達することを防止するオイルダンパ等の弾性部材であり、シャーシ32の下板と再生ユニット41との間に設けられている。44a〜44cは再生ユニット41に設けられた第１〜第３の位置決め軸である。45は第1,第２の位置決め軸44a,44bを固定することによる再生ユニット41の固定、及び第1,第２の位置決め軸44a,44bの固定を解除することによる再生ユニット41の固定解除を行うカムプレートであり、シャーシ32の右側板と再生ユニット41との間に設けられている。46は第３の位置決め軸44cを固定することによる再生ユニット41の固定、及び第３の位置決め軸44cの固定を解除することによる再生ユニット41の固定解除を行うロックプレートであり、シャーシ32の左側板と再生ユニット41との間に設けられている。なお、再生ユニット41は、図示しない複数本のスプリングによりシャーシ32から吊り下げられている。
第10図はこの発明の実施の形態１によるディスク装置における再生ユニットを示す構成図である。第10図（Ａ）は再生ユニットを第１図のＺ方向から見たときの構成を示し、第10図（Ｂ）は再生ユニットを第10図（Ａ）のＰ方向から見たときの構成を示している。第10図はディスク挿入前あるいはディスク排出後の状態を示している。第10図において、51はターンテーブルを回転させるためのモータやピックアップを移動させるためのモータ等が収納されている再生ユニットベースである。51dは加圧アームの回転軸であり、再生ユニットベース51に設けられている。52はディスクが載置され、載置されたディスクを回転させるターンテーブルであり、再生ユニットベース51に設けられている。53はターンテーブル52を回転させるための第１のモータ、54は再生ユニットベース51に設けられた回転軸51dを中心として回転する加圧アームである。55は加圧アーム54をターンテーブル52側へ回転させることによりディスクをターンテーブル52とで挟持するディスク挟持体であり、加圧アーム54に取り付けられている。56はディスクに記録されている情報を読み取るピックアップであり、再生ユニットベース51に設けられている。57aはピックアップ56を支持するガイド溝、57bはピックアップ56を支持するガイド軸、58はピックアップ56を移動させるための第２のモータ、59は第２のモータ58の回転をガイド軸57bに伝達する減速機構である。
このディスク装置では、減速機構59を介して第２のモータ58の回転がガイド軸57bに伝達されてガイド軸57bが回転し、ガイド溝57aとガイド軸57bとから成る一対のガイドに沿って、ピックアップ56が移動する構成となっている。
第11図〜第14図はこの発明の実施の形態１によるディスク装置における再生ユニット及び搬送ユニットを示す構成図である。第11図（Ａ）、第12図（Ａ）、第13図（Ａ）及び第14図（Ａ）は再生ユニット及び搬送ユニットを第１図のＸ方向から見たときの構成を示し、第11図（Ｂ）、第12図（Ｂ）、第13図（Ｂ）及び第14図（Ｂ）は再生ユニット及び搬送ユニットを第11図（Ａ）のＰ方向から見たときの構成を示している。第11図は8cmディスクの搬送時の状態を示し、第12図は8cmディスクの再生時の状態を示し、第13図は12cmディスクの搬送時の状態を示し、第14図は12cmディスクの再生時の状態を示している。第11図及び第12図では、8cmディスクＤが二点破線で示され、第13図及び第14図では、12cmディスクＤが二点破線で示されている。また、第15図はこの発明の実施の形態１によるディスク装置におけるディスクストッパを示す構成図である。第15図は第11図（Ａ）II−II線に沿った断面図を示している。第11図〜第15図において、61はシャーシ32の内部に挿入されたディスクＤに押されてＢ方向（ディスク挿入方向）へ移動するディスクストッパである。62はディスクストッパ61の移動に併せて回転するレバーストッパであり、加圧アーム54の上面に設けられている。63はレバーストッパ62の回転に併せて回転すると共にシャーシ32の内部にディスクＤが挿入されていないときのディスクストッパ62の位置決めを行いレバーストッパ62の回転に併せて回転したときに後述する作動レバー82をＡ方向（ディスク排出方向）へスライド移動させるスライドロックであり、加圧アーム54の下側に設けられている。64はシャーシ32の内部に挿入された12cmディスクＤに押されて回転し、スライドロック63によるレバーストッパ62の規制を解除するようにスライドロック63を移動させるフロントアーム、65はディスク挟持体55を加圧アーム54に取り付けるための保持部材、66はレバーストッパ62とスライドロック63とに連結された第１のスプリング（弾性部材）、67は加圧アーム54とスライドロック63とに連結された第２のスプリングである。
ディスクストッパ61において、61aはシャーシの内部に挿入されたディスクＤが当接する当接部、61bは加圧アーム54に形成されたガイド孔と係合する係合部、61cはレバーストッパ62に形成された係合孔に係合する係合ピンである。
レバーストッパ62において、62aはレバーストッパ62の回転軸、62bは第１のスプリング66が連結された連結部、62cはディスクストッパ61に設けられた係合ピン62cが係合する係合孔、62dはスライドロック63に設けられた規制ピンを支持する規制孔、62eは規制孔62dを構成する第１規制部、62fは規制孔62dを構成する第２規制部である。
スライドロック63において、63aはフロントアーム64に押される受圧部、63bは後述する作動レバー82を押す加圧部、63cはレバーストッパ62に形成された規制孔62dに支持された規制ピン、63dは第１のスプリング66が連結された連結部、63eは第２のスプリング67が連結された連結部、63fはレバーストッパ62の回転軸62aを支持するスライド孔である。
フロントアーム64において、64aはシャーシ32の内部に挿入された12cmディスクＤが当接する当接ピン、64bはレバーストッパ62を押す加圧部、64cはフロントアーム64の回転軸である。
加圧アーム54において、54aは第２のスプリング67が連結された連結部である。54bはディスクストッパ62に設けられた係合部61bが係合すると共にディスクストッパ62に設けられた係合ピン61cが貫通しシャーシ32の内部に挿入されたディスクＤに押されたディスクストッパ61をガイドするガイド孔であり、加圧アーム54の略中央部にディスクＤの搬送方向に沿って形成されている。54cはディスクストッパ61に設けられた係合部61bをガイド孔54bと係合させるために形成された係合部挿入孔、54dはスライドロック63に設けられた規制ピン63cをレバーストッパ62に形成された規制孔62dで支持するために形成された窓孔である。
保持部材65において、65aはディスク挟持体55の上部センタ突起55aを押圧しながらディスク挟持体55を保持する保持部、65bは加圧アーム54に形成された係合部挿入孔54cを被覆する被覆部である。
このディスク装置では、ディスクＤがシャーシ32の内部に挿入されていないとき、作動レバー82の位置が決まっている。このため、スライドロック63の位置が決まり、スライドロック63に設けられた規制ピン63cがレバーストッパ62に形成された規制孔62dを構成する第１規制部62eに位置することによりレバーストッパ62の位置が決まり、さらにディスクストッパ61の位置が決まる構成となっている。そして、このディスク装置では、ディスクがシャーシ32の内部に挿入されていないとき、ディスクストッパ61に設けられた係合部61bが保持部材65と当接する構成となっている。そして、レバーストッパ62とスライドロック63とに連結された第１のスプリング66の力によりディスクストッパ61に設けられた係合部61bが保持部材65を押圧する構成となっている。このような構成により、ディスクＤがシャーシ32の内部に挿入されていないとき、ディスクストッパ61ががたつかず、異音の発生を防止できる効果が得られる。
また、このディスク装置では、保持部材65の被覆部65bにより加圧アーム54に形成された係合部挿入孔54cを被覆している。このような構成により、ディスクストッパ61に設けられた係合部61bが加圧アーム54に形成された係合部挿入孔54cから抜けて、ディスクストッパ61が落下することを防止できる効果が得られる。
また、このディスク装置では、ディスクＤがシャーシ32の内部に挿入されたとき、ディスクＤがディスクストッパ61の当接部61aに当接し、ディスクＤに押されてディスクストッパ61がＢ方向へ移動する構成となっている。そして、ディスクストッパ61の移動に併せてレバーストッパ62が回転し、レバーストッパ62の回転に併せてスライドロック63が回転する構成となっている。そして、スライドロック63の加圧部63bに押されて作動レバー82がＡ方向へスライド移動する構成となっている。
また、このディスク装置では、12cmディスクＤがシャーシ32の内部に挿入されたとき、12cmディスクＤがフロントアーム64に設けられた当接ピン64aに当接し、12cmディスクＤに押されてフロントアーム64が回転する構成となっている。そして、フロントアーム64の加圧部64bに押されてスライドロック63が移動し、第１規制部62eに位置していた規制ピン63cが第１規制部62eから外れる構成となっている。そして、規制ピン63cが第１規制部62eから外れた状態で、12cmディスクＤに押されてディスクストッパ61がＢ方向へ移動するとき、ディスクストッパ61の移動に併せてレバーストッパ62が回転する構成となっている。そして、さらにディスクストッパ61がＢ方向へ移動するとき、フロントアーム64が初期の位置に戻り、規制ピン63cが第２規制部62eに入る構成となっている。そして、さらにディスクストッパ61がＢ方向へ移動するとき、ディスクストッパ61の移動に併せてレバーストッパ62が回転し、レバーストッパ62の回転に併せてスライドロック63が回転する構成となっている。そして、スライドロック63の加圧部63bに押されて作動レバー82がＡ方向へスライド移動する構成となっている。
第16図はこの発明の実施の形態１によるディスク装置における搬送ユニットを示す構成図である。第16図（Ａ）は搬送ユニットを第１図のＹ方向から見たときの構成を示し、第16図（Ｂ）は搬送ユニットを第16図（Ａ）のＰ方向から見たときの構成を示している。第16図（Ａ）は12cmディスクの搬送時の状態を示し、第16図（Ｂ）はディスク再生時の状態を示している。第16図（Ａ）では、12cmディスクＤが二点破線で示されている。また、第17図はこの発明の実施の形態１によるディスク装置におけるディスク案内部及び補助ローラを示す構成図である。第17図（Ａ）はディスク案内部を第１図のＺ方向から見たときの構成を示し、第17図（Ｂ）は第17図（Ａ）中の破線で囲んだＰ部分の拡大図を示し、第17図（Ｃ）は第17図（Ａ）中の破線で囲んだＱ部分をＲ方向から見た拡大図を示している。第16図及び第17図において、71はシャーシ32の上板に固定されたディスク案内部、72は円錐状形状部の外周面がディスク案内部71に形成された凸部より搬送ローラ側に位置するようにディスク案内部71の左右両端部に各々配置された補助ローラ、73はディスク挿入口33からシャーシ32の内部に挿入されたディスクＤをディスク案内部71または補助ローラ72とで挟持しその状態で回転することによりディスクＤを再生ユニットに搬送し、かつ搬送ユニットに搬送されたディスクＤをディスク案内部71または補助ローラ72とで挟持しその状態で回転することによりディスクＤをディスク挿入口33に搬送しシャーシ32の外部に排出する搬送ローラ、74は搬送ユニットベースである。
ディスク案内部71において、71aは中央部から端部に向けて搬送ローラ73に近づく形状の凸部であり、ディスク搬送方向と垂直な方向に延在して形成されている。71bは補助ローラ72の回転軸をその軸方向に押圧する板バネ部である。
補助ローラ72において、72aは補助ローラ73の回転軸であり、水平方向を向くようにかつディスク搬送方向と垂直な方向を向くようにディスク案内部71に取り付けられている。72bは補助ローラ72の円錐状形状部（回転部）、72cは円錐状形状部72bの外周面である。
搬送ローラ73において、73aは搬送ローラ73のシャフトであり、ディスク搬送方向と垂直な方向を向くように後述する搬送ユニットベース74に形成された丸孔に挿入されている。73bは搬送ローラ73のシャフト73aが遊挿され、中央部から端部に向けて太くなる形状のゴムローラである。
このディスク装置では、ディスク搬送時に、ゴムローラ73bがシャフト73aと密着するように、ディスクＤによりゴムローラ73bが押圧され、シャフト73aとゴムローラ73bとの間の摩擦力により、シャフト73aとゴムローラ73bとが一体となって回転する構成となっている。また、その摩擦力より大きな力がディスクＤにその搬送方向と反対方向に加わったとき、シャフト73aのみが回転する構成となっている。このような構成により、12cmディスクＤの搬送ローラ73側の記録面が搬送ローラ73で傷つくことを防止できる効果が得られる。
また、このディスク装置では、補助ローラ72の円錐状形状部72b外周面72cがディスク案内部71に形成された凸部71aより搬送ローラ73側に位置するように、補助ローラ72がディスク案内部71の端部に配置されている。このため、8cmディスクＤの搬送時あるいは12cmディスクＤの搬送初期及び搬送終期において、ディスクＤをディスク案内部71に形成された凸部71aと搬送ローラ73とで挟持し、12cmディスクＤの搬送中期において、ディスクＤをディスク案内部71に取り付けられた補助ローラ72と搬送ローラ73とで挟持する構成となっている。このような構成により、12cmディスクＤの搬送中期において、12cmディスクＤにその搬送方向と反対方向に加わる力が低減するため、12cmディスクＤをスムーズに搬送でき、ディスクＤの挿入や排出ができなくなることを防止できる効果が得られる。
また、このディスク装置では、補助ローラ72の回転軸72aが水平方向を向くようにディスク案内部71に取り付けられている。このため、補助ローラ72の円錐状形状部72bの外周面72cがディスク案内部71の端部に向かって搬送ローラに近づく構成となっている。また、ディスク案内部71に形成された凸部71aは中央部から端部に向けて搬送ローラ73に近づく形状をしている。この結果、ディスクＤの搬送時に、ディスクＤはその外周エッジでのみディスク案内部71に形成された凸部71aあるいは補助ローラ72と接触する構成となっている。このような構成により、ディスクＤの記録面がディスク案内部71に形成された凸部71aや補助ローラ72で傷つくことを防止できる効果が得られる。
また、このディスク装置では、ディスク案内部71に取り付けられた補助ローラ72の回転軸72aを、ディスク案内部71に形成された板バネ部71bによりその軸方向に押圧する構成となっている。このような構成により、補助ローラ72ががたつかず、異音の発生を防止できる効果が得られる。
第18図はこの発明の実施の形態１によるディスク装置における搬送ユニットベースを示す構成図である。第18図（Ａ）は搬送ユニットベースを第１図のＸ方向から見たときの構成を示し、第18図（Ｂ）は第18図（Ａ）のＰ方向から見たときの構成を示し、第18図（Ｃ）は第18図（Ａ）のＱ方向から見たときの構成を示し、第18図（Ｄ）は第18図（Ａ）のＲ方向から見たときの構成を示している。第18図はディスク再生時の状態を示している。第18図において、74aは搬送ローラ73のシャフト73aが挿入される丸孔、74bはシャーシ32に形成された丸孔32a（第16図（Ｂ）参照）に挿入される搬送ユニットベース74の回転軸、74cは後述するカムプレート及びロックプレートのそれぞれに形成されたＺ状孔に支持される移動軸、74dはシャーシの内部にディスクが挿入されているときに、ディスク挿入口を閉じることにより、別のディスクがシャーシの内部に挿入されることを防止する二重挿入防止爪である。
第19図はこの発明の実施の形態１によるディスク装置における搬送ユニット及び減速ギヤ群を示す構成図である。第19図は搬送ユニット及び減速ギア群を第１図の紙面下側から見たときの構成を示している。第19図（Ａ）はディスク搬送時の状態を示し、第19図（Ｂ）はディスク再生時の状態を示している。75は搬送ローラのシャフト73aに圧入された第１のギヤ、76は搬送ローラを回転させるための第３のモータであり、シャーシ32に設けられている。77は第３のモータ76の回転軸に圧入された第２のギヤ、78は第３のモータ76の回転を搬送ローラに伝達する減速ギヤ群であり、シャーシ32に設けられている。79はシャーシ32の下板と搬送ユニットベース74とを連結する第３のスプリングである。
このディスク装置では、ディスク搬送時に、第３のスプリング79の力により、ディスクを、搬送ローラと、ディスク案内部あるいは補助ローラとで挟持する構成となっている。そして、このとき、搬送ローラのシャーシに圧入された第１のギヤ75と減速ギヤ群78とが噛み合い、第３のモータ76の回転が第２のギヤ77、減速ギヤ群78及び第１のギヤ75を介して搬送ローラに伝達され、搬送ローラが回転する構成となっている。
また、このディスク装置では、ディスク再生時に、ディスクを、搬送ローラと、ディスク案内部あるいは補助ローラとで挟持しない構成となっている。そして、このとき、第１のギヤ75が減速ギヤ群78から離れ、第３のモータ76の回転が搬送ローラに伝達されない構成となっている。
第20図〜第25図はこの発明の実施の形態１によるディスク装置におけるカムプレート及びその関連部品を示す構成図である。第20図（Ａ）、第23図（Ａ）、第24図（Ａ）及び第25図（Ａ）はカムプレート及びその関連部品を第１図のＸ方向から見たときの構成を示し、第20図（Ｂ）、第21図、第22図、第23図（Ｂ）、第24図（Ｂ）及び第25図（Ｂ）はカムプレート及びその関連部品を第20図（Ａ）のＰ方向から見たときの構成を示し、第20図（Ｃ）は第20図（Ａ）中の破線で囲んだＱ部分の拡大図を示している。第20図及び第23図はディスク搬送時の第１段階の状態を示し、第21図及び第24図はディスク搬送時の第２段階の状態を示し、第22図及び第25図はディスク再生時の状態を示している。第20図（Ａ）、第23図（Ａ）、第24図（Ａ）及び第25図（Ａ）は曲線ａで囲まれる部分がカムプレートのフック状突起及び作動レバーのフック状突起の位置での断面となるように示され、第20図（Ｂ）、第21図（Ｂ）及び第22図（Ｂ）は曲線ｂで囲まれる部分がシャーシの右側板となるように示され、第23図（Ｂ）、第24図（Ｂ）及び第25図（Ｂ）は曲線ｃの右側の部分がシャーシの右側板となるように示されている。また、第26図はこの発明の実施の形態１によるディスク装置におけるカムプレートを示す構成図である。第26図はカムプレートを第20図（Ａ）のＰ方向から見たときの構成を示している。第20図〜第26図において、81はＡ−Ｂ方向にスライド移動し、Ｂ方向にスライド移動するときにディスクをターンテーブルとディスク挟持体とで挟持しない方向に加圧アームを移動させ、かつディスクをディスク案内部と搬送ローラ73とで挟持する方向に搬送ローラ73を移動させ、Ａ方向にスライド移動するときにディスクをターンテーブルとディスク挟持体とで挟持する方向に加圧アームを移動させ、かつディスクをディスク案内部と搬送ローラ73とで挟持しない方向に搬送ローラ73を移動させるカムプレートであり、シャーシ32の右側板と再生ユニットとの間に設けられている。82はシャーシ32に形成されたガイド溝32b（第８図参照）に沿ってＡ−Ｂ方向にスライド移動しその移動によりカムプレート81をＡ−Ｂ方向へスライド移動させる移動レバーであり、カムプレート81上に配置されている。83はカムプレート81がＢ方向へスライド移動するときに再生ユニットを固定するための第１のリンク部材であり、シャーシ32とカムプレート81との間に設けられている。84はシャーシ32と作動レバー82とを連結する第４のスプリングである。
カムプレート81において、81aはシャーシ32の右側板に形成された鍵状爪が係合し、カムプレート81をガイドする長孔、81bは搬送ユニットベース74に設けられた移動軸74cを支持し、カムプレート81のスライド移動に併せて移動軸74cをガイドするＺ状孔、81cは再生ユニットに設けられた第１の位置決め軸44aを支持し、カムプレート81のスライド移動に併せて第１の位置決め軸44aをガイドする水平孔、81dは再生ユニットに設けられた第２の位置決め軸44bを支持し、カムプレート81のスライド移動に併せて第２の位置決め軸44bをガイドする水平溝、81eは水平孔81cによる第１の位置決め軸44aの支持を解除する解除孔、81fは水平溝81dによる第２の位置決め軸44bの支持を解除する解除溝、81gは第１のリンク部材83に形成された丸孔に挿入された第１のリンク部材83の回転軸、81hは加圧アーム54に設けられた右側面曲げ部54e（第11図〜第14図参照）と当接し、ＡからＢ方向に向かって下降する形状の傾斜部、81iはカムプレート81の上部に形成された凹部、81jは減速ギヤ群78が貫通する貫通孔、81kは作動レバー82に形成されたフック状突起と連結する第１のフック状突起（第１の係合部）である。
作動レバー82において、82aはカムプレート81に形成された凹部81iに配置され、凹部81iを押すことにより、作動レバー82のスライド移動に併せてカムプレート81をＡ方向へスライド移動させる凸部、82bは減速ギヤ群（ギヤ）78と噛み合って作動レバー82をスライド移動させるラック、82cはカムプレート81に形成されたフック状突起81kと連結して、作動レバー82のスライド移動に併せてカムプレート81をＢ方向へスライド移動させる第２のフック状突起（第２の係合部）である。
第１のリンク部材83において、83aはシャーシ32の右側板に形成されたＺ状孔に支持された移動軸、83bはカムプレート81に設けられた第１のリンク部材83の回転軸81gが挿入された丸孔、83cはカムプレート81がＢ方向にスライド移動するときに、再生ユニットに設けられた第１の位置決め軸44aを挟み込む狭持部である。
シャーシ32の右側板において、32cはカムプレート81に形成された長孔81aに係合する鍵状爪、32dは第１のリンク部材83に設けられた移動軸83aを支持し、カムプレート81のスライド移動に併せて移動軸83aをガイドするＺ状孔、32eはカムプレート81のＢ方向へのスライド移動を制止する制止爪、32fはカムプレート81に形成されたフック状突起81kと作動レバー82に形成されたフック状突起82cとが連結および離脱する位置に形成された開口（第８図参照）である。
このディスク装置では、カムプレート81がＡ−Ｂ方向へスライド移動するときに、第１のリンク部材82に設けられた移動軸83aがシャーシ32の右側板に形成されたＺ状孔32cに沿って移動し、第１のリンク部材82がカムプレート81に設けられた第１のリンク部材82の回転軸81gを中心に回転する構成となっている。そして、カムプレート81がＢ方向へスライド移動するときに、第１の位置決め軸44aを第１のリンク部材83の狭持部83cで挟み込み、第１の位置決め軸44aを水平孔81c内で固定し、第２の位置決め軸44bを水平溝81d内で固定する構成となっている。一方、カムプレート81がＡ方向へスライド移動するときに、水平孔81cによる第１の位置決め軸44aの支持及び水平溝81dによる第２の位置決め軸44bの支持を解除する構成となっている。
また、このディスク装置では、カムプレート81がＡ−Ｂ方向へスライド移動するときに、搬送ユニットベース74に設けられた移動軸74cがカムプレート81に形成されたＺ状孔81bに沿って移動し、搬送ユニットベース74がその回転軸74bを中心に回転する構成となっている。そして、カムプレート81がＢ方向へスライド移動するときに、ディスクを搬送ローラ74とディスク案内部とで挟持する方向に搬送ローラ74が移動する構成となっている。一方、カムプレート81がＡ方向へスライド移動するときに、ディスクを搬送ローラ74とディスク案内部とで挟持しない方向に搬送ローラ74が移動する構成となっている。
また、このディスク装置では、カムプレート81がＢ方向へスライド移動するときに、カムプレート81に設けられた傾斜部81hに沿って加圧アーム54に設けられた右側面曲げ部54eが上昇することにより加圧アーム54が上昇しターンテーブルからディスクを持ち上げる構成となっている。一方、カムプレート81がＡ方向へスライド移動するときに、第５のスプリング60（第10図（Ａ）参照）の力によって、傾斜部81hの傾斜に沿って右側面曲げ部54eが下降することにより加圧アーム54が下降しディスクをターンテーブルに載置する構成となっている。
また、このディスク装置では、ディスク挿入時に、作動レバー82がＡ方向へスライド移動し、作動レバー82に形成されたラック82bが減速ギヤ群78と噛み合う構成となっている。そして、減速ギヤ群78の駆動力により、作動レバー82がさらにＡ方向にスライド移動し、作動レバー82に形成された凸部82aが、カムプレート81に形成された凹部81iに当接し凹部81iを押す構成となっている。このため、カムプレート81が作動レバー82の移動に併せてＡ方向へスライド移動する構成となっている。
また、このディスク装置では、作動レバー82に形成された凸部82aが、カムプレート81に形成された凹部81iに当接するとき、カムプレート81に形成された第１のフック状突起81kと作動レバー82に形成された第２のフック状突起82cとが連結する構成となっている。
また、このディスク装置では、ディスク排出時に、減速ギヤ群78が逆回転して作動レバー82がＢ方向へスライド移動し、作動レバー82に形成された第２のフック状突起82cがカムプレート81に形成された第１のフック状突起81kを押す構成となっている。このため、カムプレート81が作動レバー82のスライド移動に併せてＢ方向へスライド移動する構成となっている。そして、減速ギヤ群78の駆動力により、作動レバー82がさらにＢ方向へスライド移動し、作動レバー82のスライド移動に併せてスライド移動するカムプレート81がシャーシ32の右側板に形成された制止爪32eに当たり、初期の位置に戻る構成となっている。そして、減速ギヤ群78の駆動力により、作動レバー82のみがさらにＢ方向へスライド移動し、第１のフック状突起81kと第２のフック状突起82cとが離脱する構成となっている。そして、第１のフック状突起81kと第２のフック状突起82cとが離脱した後、作動レバー82が第４のスプリング84の力によりＢ方向に引っ張られて初期の位置に戻り、スライドロックを押圧する構成となっている。このような構成により、カムプレート81及び作動レバー82が初期の位置に戻ることができ、ディスクをシャーシ32の外部に排出できなくなることを防止できる効果が得られる。
また、このディスク装置では、カムプレート81に形成された第１のフック状突起81kと作動レバー82に形成された第２のフック状突起82cとが連結する位置と離脱する位置とが同じ位置であり、第１のフック状突起81kがたわむことにより第１のフック状突起81kと第２のフック状突起82cとが連結あるいは離脱する構成となっている。
また、このディスク装置では、カムプレート81に形成された第１のフック状突起81kと作動レバー82に形成された第２のフック状突起82cとが連結および離脱する位置において、シャーシ32の右側板に開口32fを形成してある。このような構成により、第１のフック状突起81kをたわませて、第１のフック状突起81kと第２のフック状突起82cとの連結および離脱を容易に行うことができる効果が得られる。
第27図及び第28図はこの発明の実施の形態１によるディスク装置におけるロックプレート及びその関連部品を示す構成図である。第27図（Ａ）はロックプレート及びその関連部品を第１図のＸ方向から見たときの構成を示し、第27図（Ｂ）及び第28図はロックプレート及びその関連部品を第27図（Ａ）のＰ方向から見たときの構成を示している。第27図はディスク搬送時の状態を示し、第28図はディスク再生時の状態を示している。第27図（Ｂ）及び第28図は曲線ｄで囲まれる部分がシャーシの左側板となるように示されている。第27図及び第28図において、85はカムプレート81がＡ−Ｂ方向へスライド移動することによりＡ−Ｂ方向へスライド移動するロックプレートであり、シャーシ32の左側板と再生ユニットとの間に設けられている。86はロックプレート85がＢ方向へスライド移動するときに再生ユニットを固定するための第２のリンク部材であり、シャーシ32とロックプレート85との間に設けられている。
ロックプレート85において、85aはシャーシ32に右側板に形成された鍵状爪が係合し、ロックプレート85をガイドする長孔、85bは搬送ユニットベース74に設けられた移動軸74cを支持し、ロックプレート85のスライド移動に併せて移動軸74cをガイドするＺ状孔、85cは再生ユニットに設けられた第３の位置決め軸44cを支持し、ロックプレート85のスライド移動に併せて第３の位置決め軸44cをガイドする水平孔、85dは水平孔85cによる第３の位置決め軸44cの支持を解除する解除孔、85eは第２のリンク部材86に設けられた移動軸を支持し、ロックプレート85のスライド移動に併せて移動軸をガイドするＬ状孔である。
第２のリンク部材86において、86aはシャーシ32の左側板に形成された丸孔に挿入された回転軸、86bはロックプレート85に形成されたＬ状孔85eに支持された移動軸、86cはロックプレート85がスライドＢ方向へ移動しているときに、再生ユニットに設けられた第３の位置決め軸44cを挟み込む狭持部である。
シャーシ32の左側板において、32gは第２のリンク部材86に設けられた回転軸86aが挿入された丸孔である。
このディスク装置では、カムプレート81がＡ−Ｂ方向へスライド移動することにより搬送ユニットベース74がその回転軸74bを中心に回転するときに、搬送ユニットベース74に設けられた移動軸74cがロックプレート85に設けられたＺ状孔85bに沿って移動し、ロックプレート85がＡ−Ｂ方向へスライド移動する構成となっている。
また、このディスク装置では、カムプレート81がＡ−Ｂ方向へスライド移動することによりロックプレート85がＡ−Ｂ方向へスライド移動するときに、第２のリンク部材86に設けられた移動軸86bがロックプレート85に形成されたＬ状孔85eに沿って移動し、第２のリンク部材86がその回転軸86aを中心に回転する構成となっている。そして、カムプレート81がＢ方向へスライド移動することによりロックプレート86がＢ方向へスライド移動するときに、第３の位置決め軸44cを第２のリンク部材86の狭持部86cで挟み込み、第３の位置決め軸44cを水平孔85c内で固定する構成となっている。一方、カムプレート81がＡ方向へスライド移動することによりロックプレート85がＡ方向へスライド移動するときに、水平孔85cによる第３の位置決め軸44cの支持を解除する構成となっている。
第29図はこの発明の実施の形態１によるディスク装置における再生ユニットベースを示す構成図である。第29図（Ａ）は再生ユニットベースを第１図のＸ方向から見たときの構成を示し、第29図（Ｂ）は再生ユニットベースを第29図（Ａ）のＰ方向から見たときの構成を示している。第29図は12cmディスクがターンテーブルから持ち上げられている状態を示している。第29図では、12cmディスクＤが二点破線で示されている。第29図において、51aは再生ユニットベース51のディスク挿入側と反対側の側面である奥側側面である。51bは12cmディスクＤの外周エッジにおいて12cmディスクＤと再生ユニットベース51とが接触するように再生ユニットベース51の奥側側面51aを加工して形成された切り欠き部であり、再生ユニットベース51を上側から見たときに台形状となるように形成されている。51cは12cmディスクＤが接触する切り欠き部51bの稜線であり、台形状の切り欠き部51bの斜辺に相当する。
このディスク装置では、12cmディスクＤの外周エッジにおいて12cmディスクＤと再生ユニットベース51とが接触するように、再生ユニットベース51の奥側側面51aを加工して、切り欠き部51bを形成してある。このような構成により、12cmディスクがターンテーブルから持ち上げられている状態にあるとき、12cmディスクＤはその外周エッジでのみ再生ユニットベース51と接触するため、12cmディスクＤの記録面が傷つくことを防止できる効果が得られる。
また、このディスク装置では、切り欠き部51bを、再生ユニットベース51を上側から見たときに台形状となるように形成し、台形状の切り欠き部51bの斜辺を、12cmディスクＤが接触する切り欠き部51bの稜線51cとしている。このような構成により、12cmディスクＤが再生ユニットベース51に接触する位置での12cmディスクＤの接線と切り欠き部51bの稜線51cとが垂直に近く、12cmディスクＤの再生ユニットベース51との接触箇所が少なくなる効果が得られる。
次の動作について説明する。
ディスク挿入時
ディスクＤをディスク挿入口33からシャーシ32の内部に挿入すると、ディスクＤの挿入がセンサにより検知され、第３のモータ76が始動し、第３のモータ76の回転が第２のギヤ77、減速ギヤ群78及び第１のギヤ75を介して搬送ローラ73に伝達され、搬送ローラ73が回転する（第19図（Ａ）参照）。
8cmディスクＤをシャーシ32の内部に挿入した場合には、8cmディスクＤは、ディスク案内部71に形成された凸部71aと搬送ローラ73とで挟持され、搬送ローラ73の回転により再生ユニット41に搬送される。搬送段階においては、先ず、8cmディスクＤがディスクストッパ61の当接部61aに当接し、8cmディスクに押されてディスクストッパ61がＢ方向へ移動する。そして、ディスクストッパ61の移動に併せてレバーストッパ62が回転し、レバーストッパ62の回転に併せてスライドロック63が回転する。そして、スライドロック63の加圧部63bに押されて作動レバー82がＡ方向へスライド移動する（第11図及び第12図参照）。
12cmディスクＤをディスク挿入口33からシャーシ32の内部に挿入した場合には、12cmディスクＤは、搬送初期及び搬送終期においてディスク案内部71に形成された凸部71aと搬送ローラ73とで挟持され、搬送中期においてディスク案内部71に取り付けられた補助ローラ72と搬送ローラ73とで挟持され、搬送ローラ73の回転により再生ユニット41に搬送される（第16図参照）。12cmディスクＤが再生ユニット41に搬送されると、12cmディスクＤの外周エッジにおいて、12cmディスクＤとユニットベース51に形成された切り欠き部51bの稜線51cとが接触する（第29図参照）。搬送段階においては、先ず、12cmディスクＤがフロントアーム64に設けられた当接ピン64aに当接し、12cmディスクＤに押さえてフロントアーム64が回転する。そして、フロントアーム64の加圧部64bに押されてスライドロック63が移動し、第１規制部62eに位置していた規制ピン63cが第１規制部62eから外れる。そして、規制ピン63cが第１規制部62eから外れた状態で、12cmディスクＤがディスクストッパ61の当接部61aに当接し、12cmディスクに押されてディスクストッパ61がＢ方向へ移動する。このとき、ディスクストッパ61の移動に併せてレバーストッパ62が回転する。そして、ディスクストッパ61がＢ方向へある程度移動すると、フロントアーム64が初期の位置に戻り、規制ピン63cが第２規制部62fに入る。そして、さらにディスクストッパ61がＢ方向へ移動すると、ディスクストッパ61の移動に併せてレバーストッパ62が回転し、レバーストッパ62の回転に併せてスライドロック63が回転する。そして、スライドロック63の加圧部63bに押されて作動レバー82がＡ方向へスライド移動する（第13図及び第14図参照）。
作動レバー82がＡ方向にスライド移動すると、作動レバー82に形成されたラック82bが減速ギヤ群78と噛み合う。そして、減速ギヤ群78の駆動力により、作動レバー82がさらにＡ方向へスライド移動し、作動レバー82に形成された凸部82aが、カムプレート81に形成された凹部81iに当接する。このとき、カムプレート81に形成された第１のフック状突起81kと作動レバー82に形成された第２のフック状突起82cとが連結する。そして、作動レバー82がさらにＡ方向へスライド移動し、作動レバー82に形成された凸部82aが、カムプレート81に形成された凹部81iを押し、カムプレート81が作動レバー82の移動に併せてＡ方向へスライド移動する（第20図〜第24図参照）。
カムプレート81がＡ方向へスライド移動すると、第１のリンク部材82に設けられた移動軸83aがシャーシ32の右側板に形成されたＺ状孔32cに沿って移動し、第１のリンク部材82がカムプレート81に設けられた第１のリンク部材82の回転軸81gを中心に回転する。そして、水平孔81cによる第１の位置決め軸44aの支持及び水平溝81dによる第２の位置決め軸44bの支持が解除される（第20図〜第22図参照）。
また、カムプレート81がＡ方向へスライド移動すると、搬送ユニットベース74に設けられた移動軸74cがカムプレート81に形成されたＺ状孔81bに沿って移動し、搬送ユニットベース74がその回転軸74bを中心に回転する。そして、ディスクＤを搬送ローラ74とディスク案内部71とで挟持しない方向に搬送ローラ74が移動する。そして、このとき、第１のギヤ75が減速ギヤ群78から離れ、第３のモータ76の回転が搬送ローラ73に伝達されなくなる（第19図（Ｂ）及び第20図〜第22図参照）。また、このとき、搬送ユニットベース74に設けられた移動軸74cがロックプレート85に設けられたＺ状孔85bに沿って移動し、ロックプレート85がＡ方向へスライド移動する。そして、第２のリンク部材86に設けられた移動軸86bがロックプレート85に形成されたＬ状孔85eに沿って移動し、第２のリンク部材86がその回転軸86aを中心に回転する。そして、水平孔85cによる第３の位置決め44cの支持が解除される（第27図及び第28図参照）。
また、カムプレート81がＡ方向へスライド移動すると、第５のスプリング60の力によって、カムプレート81に設けられた傾斜部81hの傾斜に沿って加圧アーム54に設けられた右側面曲げ部54eが下降することにより加圧アーム54が下降しディスクＤがターンテーブル52とディスク挟持体55とで挟持され、ターンテーブル52に載置される（第11図〜第14図参照）。そして、このとき、加圧アーム54によりディスク搬送完了スイッチが押され、第３のモータ76が停止する。
ディスク再生時
ディスクＤがターンテーブル52に載置されターンテーブル52上で静止している状態にあるときにディスクＤの再生を開始すると、第１のモータ53が始動し、ターンテーブル52が回転し、ディスクＤが回転する。また、第２のモータ58が始動し、第２のモータ58の回転が減速機構59を介してガイド軸57bに伝達されてガイド軸57bが回転し、ガイド溝57aとガイド軸57bとから成る一対のガイドに沿ってピックアップ56が移動し、ディスクＤに記録されている情報が読み取られる。
ディスク排出時
ディスクＤの再生が終了し、ディスクＤがターンテーブル52とディスク挟持体55とで挟持されターンテーブル52上で静止している状態にあるときディスクＤの排出を開始すると、減速ギア群78が逆回転する。そして、作動レバー82がＢ方向へスライド移動し、作動レバー82に形成された第２のフック状突起82cがカムプレート81に形成された第１のフック状突起81kを押し、カムプレート81が作動レバー82のスライド移動に併せてＢ方向へスライド移動する。そして、減速ギヤ群78の駆動力により、作動レバー82がさらにＢ方向へスライド移動し、作動レバー82のスライド移動に併せてスライド移動するカムプレート81がシャーシ32の右側板に形成された制止爪32eに当たり、初期の位置に戻る（第21図、第22図、第24図及び第25図参照）。
カムプレート81がＢ方向へスライド移動すると、第１のリンク部材82に設けられた移動軸83aがシャーシ32の右側板に形成されたＺ状孔32cに沿って移動し、第１のリンク部材82がカムプレート81に設けられた第１のリンク部材82の回転軸81gを中心に回転する。そして、第１の位置決め軸44aが第１のリンク部材83の挟持体83cで挟み込まれ、第１の位置決め軸44aが水平孔81c内で固定され、第２の位置決め軸44bが水平溝81d内で固定される（第21図及び第22図参照）。
また、カムプレート81がＢ方向へスライド移動すると、搬送ユニットベース74に設けられた移動軸74cがカムプレート81に形成されたＺ状孔81bに沿って移動し、搬送ユニットベース74がその回転軸74bを中心に回転する。そして、ディスクＤを搬送ローラ74とディスク案内部71とで挟持する方向に搬送ローラ74が移動する。そして、このとき、第１のギヤ75と減速ギヤ群78とが噛み合い、第３のモータ76の回転が第２のギヤ77、減速ギヤ群78及び第１のギヤ75を介して搬送ローラ73に伝達され、搬送ローラ73が回転する（第19図（Ａ）、第21図及び第22図参照）。また、このとき、搬送ユニットベース74に設けられた移動軸74cがロックプレート85に設けられたＺ状孔85bに沿って移動し、ロックプレート85がＢ方向へスライド移動する。そして、第２のリンク部材86に設けられた移動軸86bがロックプレート85に形成されたＬ状孔85eに沿って移動し、第２のリンク部材86がその回転軸86aを中心に回転する。そして、第３の位置決め軸44cが第２のリンク部材86の狭持部86cで挟み込まれ、第３の位置決め軸44cが水平孔85c内で固定される（第27図及び第28図参照）。
また、カムプレート81がＢ方向へスライド移動すると、カムプレート81に設けられた傾斜部81hの傾斜に沿って加圧アーム54に設けられた右側面曲げ部54eが上昇することにより加圧アーム54が上昇しディスクＤがターンテーブル52から持ち上げられる（第11図〜第14図参照）。
カムプレート81がシャーシ32の右側板に形成された制止爪32eに当たると、減速ギヤ群78の駆動力により作動レバー82のみがさらにＢ方向へ移動し、カムプレート81に形成された第１のフック状突起81kと作動レバー82に形成された第２のフック状突起82cとが離脱する。そして、作動レバー82が第４のスプリング84の力によりＢ方向に引っ張られて、初期の位置に戻る（第20図及び第23図参照）。
8cmディスクＤを排出する場合、作動レバー82が初期の位置に戻ると、スライドロック62がディスク挿入時と逆回転して初期の位置に戻る。そして、スライドロック62の回転に併せてレバーストッパ62が逆回転し、レバーストッパ62の回転に併せてディスクストッパ61がＡ方向へ移動し、初期の位置に戻る。ディスクストッパ61がＡ方向へ移動すると、8cmディスクＤは、ディスク案内部71に形成された凸部71aと搬送ローラ73とで挟持され、搬送ローラ73の回転によりディスク挿入口33に搬送され、シャーシ32の外部に排出される。また、ディスクストッパ61がＡ方向へ移動し、初期の位置に戻ると、ディスクストッパ61に設けられた係合部61bが保持部材65と当接し、レバーストッパ62とスライドロック63とに連結された第１のスプリング66の力により係合部61bが保持部材65を押圧する（第11図及び第12参照）。
12cmディスクＤを排出する場合、作動レバー82が初期の位置に戻ると、スライドロック62がディスク挿入時と逆回転して初期の位置に戻る。そして、スライドロック62の回転に併せてレバーストッパ62が逆回転し、レバーストッパ62の回転に併せてディスクストッパ61がＡ方向へ移動する。ディスクストッパ61がＡ方向へ移動すると、12cmディスクＤは、搬送初期及び搬送終期においてディスク案内部71に形成された凸部71aと搬送ローラ73とで挟持され、搬送中期においてディスク案内部71に取り付けられた補助ローラ72と搬送ローラ73とで挟持され、搬送ローラ73の回転によりディスク挿入口33に搬送され、シャーシ32の外部に排出される（第16図参照）。また、ディスクストッパ61がＡ方向へ移動すると、先ず、12cmディスクＤはフロントアーム64に設けられた当接ピン64aに当接し、12cmディスクＤに押されてフロントアーム64が回転する。そして、フロントアーム64の加圧部64bに押されてスライドロック63が移動し、第２規制部62fに位置していた規制ピン63cが第２規制部62fから外れる。そして、規制ピン63cが第２規制部62fから外れた状態で、レバーストッパ62とスライドロック63とに連結された第１のスプリング66の力により、レバーストッパ62が挿入時と逆回転する。そして、レバーストッパ62の回転に併せてディスクストッパ61がさらにＡ方向へ移動し初期の位置に戻る。そして、ディスクストッパ61が初期の位置に戻ると、フロントアーム64が初期の位置に戻り、規制ピン63cが第１規制部62eに入る。また、ディスクストッパ61が初期の位置に戻ると、ディスクストッパ61に設けられた係合部61bが保持部材65と当接し、レバーストッパ62とスライドロック63とに連結された第１のスプリング66の力により係合部61bが保持部材65を押圧する。
以上で明らかなように、この実施の形態１によれば、ディスクが挿入されていないとき、ディスクストッパ61に設けられた係合部61bが保持部材65と当接し、かつ保持部材65を押圧するように構成したので、ディスクがシャーシ32の内部に挿入されていないとき、ディスクストッパ61ががたつかず、異音の発生を防止できる効果が得られる。
また、この実施の形態１によれば、補助ローラ72を、その円錐状形状部72bの外周面72cがディスク案内部71に形成された凸部71aより搬送ローラ73側に位置するように、ディスク案内部71の左右両端部に各々配置したので、12cmディスクの搬送中において、ディスクＤがディスク案内部71に取り付けられた補助ローラ72と搬送ローラ73とで挟持される。その結果、12cmディスクの搬送中期において、12cmディスクにその搬送方向と反対方向に加わる力が低減するため、12cmディスクをスムーズに搬送でき、12cmディスクの挿入や排出ができなくなることを防止できる効果が得られる。
また、この実施の形態１によれば、補助ローラ72の回転軸72aをディスク案内部71に形成された板バネ部71bによりその軸方向に押圧するように構成したので、補助ローラ72ががたつかず、異音の発生を防止できる効果が得られる。
また、この実施の形態１によれば、補助ローラ72の回転軸72aが水平方向を向くように構成したので、補助ローラ72の円錐状形状部72bの外周面72cがディスク案内部71の端部に向かって搬送ローラ73に近づく。その結果、12cmディスクの搬送中期において、12cmディスクはその外周エッジでのみ補助ローラ72と接触するため、12cmディスクの記録面が補助ローラ72で防止できる効果が得られる。
また、この実施の形態１によれば、カムプレート81の上部に、第１のフック状突起81kを形成し、作動レバー82に、作動レバー82がディスク排出方向にスライド移動しカムプレート81の上部に形成された凹部81iと作動レバー82に形成された凸部82aが当接するときに第１のフック状突起81kと連結し作動レバー82がディスク挿入方向にスライド移動するときに第１のフック状突起81kとの連結位置で第１のフック状突起81kと離脱する第２のフック状突起82cを形成したので、作動レバー81及びカムプレート82が初期の位置に戻ることができ、ディスクをシャーシ32の外部に排出できなくなることを防止できる効果がある。
また、この実施の形態１によれば、カムプレート81に形成された第１のフック状突起81kと作動レバー82に形成された第２のフック状突起82cとの連結及び離脱する位置において、シャーシ32の右側板に開口32fを形成したので、第１のフック状突起81kをたわませることにより、第１のフック状突起81kと第２のフック状突起82cとの連結及び離脱を容易に行うことができる効果が得られる。
また、この実施の形態１によれば、12cmディスクがターンテーブル52から持ち上げられている状態にあるとき、12cmディスクの外周エッジにおいて12cmディスクと再生ユニットベース51とが接触するように、再生ユニットベースの奥側側面51aを加工して、切り欠き部51bを形成したので、12cmディスクがターンテーブル52から持ち上げられている状態にあるとき、12cmディスクはその外周エッジでのみ再生ユニットベース51と接触し、12cmディスクの記録面が傷つくことを防止できる効果が得られる。
また、この実施の形態１によれば、再生ユニットベース51を上側から見たときに、台形状となるように、切り欠き部51bを形成したので、12cmディスクが再生ユニットベースに接触する位置での12cmディスクの接線と切り欠き部51bの稜線51cとが垂直に近く、12cmディスクの再生ユニットベース51との接触箇所が少なくなる効果が得られる。
実施の形態2.
実施の形態２は、実施の形態１と補助ローラの構成及び補助ローラをディスク案内部に取り付ける状態だけが相違している。
第30図はこの発明の実施の形態３によるディスク装置におけるディスク案内部及び補助ローラを示す構成図である。第30図は実施の形態１で説明した第17図（Ｃ）に対応する構成を示している。第30図において、91は円柱状形状部の外周面がディスク案内部71に形成された凸部より搬送ローラ側に位置するようにディスク案内部71の端部に位置する補助ローラである。91aは補助ローラ91の回転軸であり、ディスク案内部71の端部に向けて搬送ローラに近づくように、ディスク案内部71に取り付けられている。すなわち、第30図において、ｘ＜ｙとなるように、補助ローラ91の回転軸91aがディスク案内部71に取り付けられている。91bは補助ローラ91の円柱状形状部（回転部）、91cは円柱状形状部91bの外周面である。
このディスク装置では、補助ローラ91の回転軸91aが、ディスク案内部71の端部に向けて搬送ローラに近づくように、ディスク案内部71に取り付けられている。このため、補助ローラ91の円柱状形状部91bの外周面91cがディスク案内部71の端部に向かって搬送ローラに近づく構成となっている。また、ディスク案内部71に形成された凸部は中央部から端部に向けて搬送ローラに近づく形状をしている。この結果、ディスクＤの搬送時に、ディスクＤはその外周エッジでのみディスク案内部71に形成された凸部あるいは補助ローラ91と接触する構成となっている。このような構成により、ディスクＤの記録面がディスク案内部71に形成された凸部や補助ローラ91で傷つくことを防止できる効果が得られる。
以上で明らかなように、この実施の形態２によれば、補助ローラ91の円柱状形状部91bの外周面91cがディスク案内部71に形成された凸部71aより搬送ローラ73側に位置するように構成したので、12cmディスクの搬送中期において、ディスクＤがディスク案内部71に取り付けられた補助ローラ791と搬送ローラ73とで挟持される。その結果、12cmディスクの搬送中期において、12cmディスクにその搬送方向と反対方向に加わる力が低減するため、12cmディスクをスムーズに搬送でき、12cmディスクの挿入や排出ができなくなることを防止できる効果が得られる。
また、この実施の形態２によれば、補助ローラ91の回転軸91aがディスク案内部71の端部に向けて搬送ローラに近づくように構成したので、補助ローラ91の円錐状形状部91bの外周面91cがディスク案内部71の端部に向かって搬送ローラ73に近づく。その結果、12cmディスクの搬送中期において、12cmディスクはその外周エッジでのみ補助ローラ91と接触するため、12cmディスクの記録面が補助ローラ91で防止できる効果が得られる。
産業上の利用可能性
以上のように、この発明に係るディスク装置は、大きさの異なる２つのディスクが挿入可能な車載用のディスク装置として用いるのに適している。
【図１】
0003615771.tif 000002
【図３】
0003615771.tif 000003
【図５】
0003615771.tif 000004
【図２】
0003615771.tif 000005
【図４】
0003615771.tif 000006
【図１５】
0003615771.tif 000007
【図２１】
0003615771.tif 000008
【図６】
0003615771.tif 000009
【図７】
0003615771.tif 000010
【図８】
0003615771.tif 000011
【図９】
0003615771.tif 000012
【図１０】
0003615771.tif 000013
【図１１】
0003615771.tif 000014
【図１２】
0003615771.tif 000015
【図１３】
0003615771.tif 000016
【図１４】
0003615771.tif 000017
【図１６】
0003615771.tif 000018
【図３０】
0003615771.tif 000019
【図１７】
0003615771.tif 000020
【図１８】
0003615771.tif 000021
【図２２】
0003615771.tif 000022
【図１９】
0003615771.tif 000023
【図２６】
0003615771.tif 000024
【図２０】
0003615771.tif 000025
【図２３】
0003615771.tif 000026
【図２４】
0003615771.tif 000027
【図２５】
0003615771.tif 000028
【図２７】
0003615771.tif 000029
【図２８】
0003615771.tif 000030
【図２９】
0003615771.tif 000031